(57)【要約】【課題】処理物を揺動選別する揺動選別体を備えた脱穀装置において、異なる種類の処理物に対応可能であり、汎用性が高く、コストも掛からない脱穀装置を提供することを課題としている。【解決手段】扱胴２２で脱穀処理された処理物を揺動選別する揺動選別体２９を備え、該揺動選別体２９の枠体３６に、前後に並列配置された複数のフィン４２ａからなるチャフシーブ４２を取付支持した脱穀装置において、ユニット化された選別用部材である選別ユニット４８Ａ，４８Ｂ，４８Ｃ，４８Ｄ，４８Ｅを、枠体３６におけるチャフシーブ４２の後方に着脱自在に取付支持した。【選択図】図３
2014014306.tif 000002
【特許請求の範囲】
【請求項１】
扱胴（２２）で脱穀処理された処理物を揺動選別する揺動選別体（２９）を備え、該揺動選別体（２９）の枠体（３６）に、前後に並列配置された複数のフィン（４２ａ）からなるチャフシーブ（４２）を取付支持した脱穀装置において、ユニット化された選別用部材である選別ユニット（４８Ａ，４８Ｂ，４８Ｃ，４８Ｄ，４８Ｅ）を、枠体（３６）におけるチャフシーブ（４２）の後方に着脱自在に取付支持した脱穀装置。
【請求項２】
選別ユニット（４８Ａ，４８Ｂ，４８Ｃ）が、ラック板（７６）及びラック板（７６）を枠体（３６）に着脱自在に取付ける取付部材（７７）をユニット化したラックユニット（４８Ｃ）であるか、又は、前後方向に並べられた複数のフィンをユニット化した状態で枠体（３６）に着脱自在に取付ける延長フィンユニット（４８Ａ，４８Ｂ）である請求項１に記載の脱穀装置。
【請求項３】
前記チャフシーブ（４２）及び延長フィンユニット（４８Ａ）は、フィンを前後回動可能に支持することにより開度調整可能に構成され、チャフシーブ（４２）のフィンの前後回動と、延長フィンユニット（４８Ａ）のフィンの前後回動とを連動させる連動機構（６９）を設けた請求項２に記載の脱穀装置。
【発明の詳細な説明】
【技術分野】
【０００１】
本発明は、処理物に応じて構成を変更できる揺動選別体を備えた脱穀装置に関する。
【背景技術】
【０００２】
扱胴で脱穀処理された処理物を揺動選別する揺動選別体を備え、該揺動選別体の枠体に、前後に並列配置された複数のフィンからなるチャフシーブを取付支持した特許文献１の脱穀装置が従来公知である。
【０００３】
また、揺動選別体に設けたチャフシーブを構成するフィンを前後回動可能に構成し、処理物の量に応じてチャフシーブを開度調整することにより、処理物を高精度且つ効率良く選別できる特許文献２の脱穀装置も従来公知である。
【先行技術文献】
【特許文献】
【０００４】
【特許文献１】特開２０１２−２９６５７号公報
【特許文献２】特許第４７６４０５３号公報
【発明の概要】
【発明が解決しようとする課題】
【０００５】
上記文献の脱穀装置は、揺動選別体で処理する処理物の量に応じてチャフシーブの開度を調整することによって、選別効率を向上させているが、処理物の種類が異なる場合、チャフシーブの開度調整のみでは対応しきれず、このような場合には、揺動選別体全体を別の種類のものに交換する必要があり、着脱の手間や、異なる揺動選別体を用意するコストが掛かり、問題がある。
【０００６】
本発明では、処理物を揺動選別する揺動選別体を備えた脱穀装置において、異なる種類の処理物に対応可能であり、汎用性が高く、コストも掛からない脱穀装置を提供することを課題としている。
【課題を解決するための手段】
【０００７】
上記課題を解決するため本発明は、第１に、扱胴２２で脱穀処理された処理物を揺動選別する揺動選別体２９を備え、該揺動選別体２９の枠体３６に、前後に並列配置された複数のフィン４２ａからなるチャフシーブ４２を取付支持した脱穀装置において、ユニット化された選別用部材である選別ユニット４８Ａ，４８Ｂ，４８Ｃ，４８Ｄ，４８Ｅを、枠体３６におけるチャフシーブ４２の後方に着脱自在に取付支持したことを特徴としている。
【０００８】
第２に、選別ユニット４８Ａ，４８Ｂ，４８Ｃが、ラック板７６及びラック板７６を枠体３６に着脱自在に取付ける取付部材７７をユニット化したラックユニット４８Ｃであるか、又は、前後方向に並べられた複数のフィンをユニット化した状態で枠体３６に着脱自在に取付ける延長フィンユニット４８Ａ，４８Ｂであることを特徴としている。
【０００９】
第３に、前記チャフシーブ４２及び延長フィンユニット４８Ａは、フィンを前後回動可能に支持することにより開度調整可能に構成され、チャフシーブ４２のフィンの前後回動と、延長フィンユニット４８Ａのフィンの前後回動とを連動させる連動機構６９を設けたことを特徴としている。
【発明の効果】
【００１０】
揺動選別体の枠体に設けたチャフシーブの後方側に、ユニット化された選別用部材である選別ユニットを着脱自在に取付支持したことにより、揺動選別体に搬送される処理物の種類に応じてチャフシーブ後方側の選別用部材をユニットごと交換できるため、処理物に応じて選別選別体の全体を組換える必要がなく、コストを安く抑えて汎用性を向上させることができるとともに、選別用部材の着脱作業も容易に行うことができる。
【００１１】
また、選別ユニットが、ラック板及びラック板を枠体に着脱自在に取付ける取付部材をユニット化したラックユニットであるか、又は、前後方向に並べられた複数のフィンをユニット化した状態で枠体に着脱自在に取付ける延長フィンユニットでものによれば、チャフシーブ後方側に、選別される処理物に応じてラックユニット又は延長フィンユニットを取付けることできるため、処理物の選別効率を向上させることができる。
【００１２】
なお、前記チャフシーブ及び延長フィンユニットは、フィンを前後回動可能に支持することにより開度調整可能に構成され、チャフシーブのフィンの前後回動と、延長フィンユニットのフィンの前後回動とを連動させる連動機構を設けたものによれば、処理物に応じてフィンの開度を調整することができるため、選別効率が向上するとともに、チャフシーブの開度調整操作と別途の操作することなく、延長フィンユニットの開度も調整できるため、延長フィンユニットの開度変更が容易となる。
【図面の簡単な説明】
【００１３】
【図１】本発明を適用した脱穀装置を備えた汎用コンバインの全体側面図である。
【図２】脱穀装置の内部構造を示す側面図である。
【図３】大豆等の豆類用の選別ユニットを取付けた揺動選別体の構成を示す内面側側面図である。
【図４】大豆等の豆類用の選別ユニットを取付けた揺動選別体の構成を示す外面側側面図である。
【図５】稲・麦用の選別ユニットを取付けた揺動選別体の構成を示す内面側側面図である。
【図６】第１選別ユニットの他例の構成を示す揺動選別体の要部側面図である。
【発明を実施するための形態】
【００１４】
以下、図示する例に基づき本発明の実施形態について説明する。
図１は、本発明を適用した脱穀装置を備えた汎用コンバインの全体側面図であり、図２は、脱穀装置の内部構造を示す側面図である。本汎用コンバインは、走行部である左右一対のクローラ式走行装置１，１に支持された走行機体２と、該走行機体２の前部に昇降可能に連結されて圃場の穀稈の刈取作業等を行う刈取部３とを備え、走行機体２は、該刈取部３の後方にオペレータが乗込んで操向操作を行う操縦部４と、該操縦部４の後方左側であって前記刈取部３で刈取られた穀稈の脱穀作業を行う脱穀装置６と、走行機体２の後端側から藁屑等を排出する排出部７とを有している。
【００１５】
前記刈取部３は、刈取った穀稈を脱穀装置６側に搬送する搬送コンベア８と、該搬送コンベア８の前端側に連結されて前方側に延びる刈取フレーム９と、該刈取フレーム９の前端側に設けたデバイダ１１と、該刈取フレーム９の基端部となる後端側から前方に向って延出している左右一対の支持アーム１２と、該左右の支持アーム１２の延出端間に回転自在に架設支持された掻込リール１３とを備えている。
【００１６】
該構成の刈取部３により刈取られた穀稈は、刈取フレーム９側の搬送オーガ１４によりフィーダ１６の前端側へ送られ、該フィーダ１６に搬送された穀稈がフィーダ１６の内部に備えた搬送コンベア８によって後方側に搬送される。フィーダ１６の後端側へ搬送された刈取穀稈は前記脱穀装置６の上部前端側へと送られる。
【００１７】
前記脱穀装置６は、該脱穀装置６の上部側であって前記搬送コンベア８から搬送される刈取穀稈の脱穀作業を行う脱穀部１７と、該脱穀装置６の下部側であって前記脱穀部１７により脱穀された脱穀物を一番物である穀粒と二番物と藁屑等の排塵物とに選別する選別部１８とから構成されている。
【００１８】
前記脱穀部１７は、前記搬送コンベア８の後端側から刈取穀稈が全稈投入される扱室１９と、該扱室１９の前後方向全体に亘って形成され且つ前後方向の扱胴回転軸２１回りに回転駆動自在に設けられた円筒状の扱胴２２と、該扱胴２２の下方側に位置し且つ扱胴２２の外周下面側に沿って正面視円弧状に形成された受網２３と、前記扱室１９の天井側に前後複数配置された送塵弁２４とを備えている。ちなみに、扱胴２２の前部は、前方に向かって次第に径が小さくなる円錐台状に成形されている。
【００１９】
前記扱室１９の前方側に投入された刈取穀稈は、回転駆動する扱胴２２の外周面に沿って螺旋状に延びる板状の扱ぎ歯２６によって、後方に搬送されながら脱穀処理されるとともに、扱室１９の天井面側に位置し下端側が扱胴２２の外周上面側に沿って正面視円弧状に切欠かれた前記送塵弁２４によって、後方搬送される刈取穀稈を案内するとともに、刈取穀稈の後方側への送り速度を変化させることができる。
【００２０】
さらに詳しく説明すると、扱室１９に導入された刈取穀稈は、前記扱ぎ歯２６に所定の間隔で複数取付けた突起部２８と、前記受網２３とによって扱降ろされて脱穀処理された処理物は、受網２３を漏下して選別部１８に落下する。
【００２１】
前記選別部１８は、前記受網２３の下方側の前後揺動可能に支持された揺動選別体２９と、該揺動選別体２９の前部下方に設けられて後方斜め上方の選別風を起風する唐箕ファン３１と、該唐箕ファン３１の後方に配置されて同様に選別風を起風する二番選別ファン３２と、唐箕ファン３１及び二番選別ファン３２の間に配置され、選別された一番物を搬送する一番ラセン３３と、二番選別ファン３２の後方側に配置されて選別された二番物を搬送する二番ラセン３４とを備えている。揺動選別体２９の具体的な構成については後述する。
【００２２】
これにより、脱穀部１７の扱胴２２により脱穀処理されて受網２３から落下してきた処理物は、選別部１８の揺動選別体２９によって揺動選別されるとともに、上記選別風によって一番物又は二番物に選別（風選）される。具体的には、唐箕ファン３１による選別風の影響を受けずに前側の一番ラセン３３に落下する一番物と、唐箕ファン３１及び二番選別ファン３２の選別風の影響を若干受けて後側の二番ラセン３４に落下する二番物と、各選別ファン３１，３２の影響を強く受けて後方斜め上方に吹上げられる藁屑等の排出物とに選別される。
【００２３】
一番物は、一番ラセン３３によりグレンタンク１０内に搬送され、二番物は、二番ラセン３４及び図示しない還元搬送装置によって、脱穀部１７の扱胴２２側又は選別部１８の揺動選別体２９側に再度投入され、排出物は、選別部１８の後端側から前記排出部７を介して機外へと排出される。
【００２４】
次に、図２乃至図５に基づき、選別揺動体の構成について説明する。
【００２５】
図３，図４は、大豆等の豆類用の選別ユニットを取付けた揺動選別体の構成を示す内面側側面図及び外面側側面図であり、図５は、稲・麦用の選別ユニットを取付けた揺動選別体の構成を示す内面側側面図である。選別部１８内に配置された前記揺動選別体２９は、互いに平行に対応する左右一対のサイドフレーム（枠体）３６，３６と、左右のサイドフレーム３６，３６間の前端側に配置されたグレンパン４１と、左右のサイドフレーム３６，３６間において前記グレンパン４１から後方に連続的に延設されたチャフシーブ４２と、左右のサイドフレーム３６，３６間におけるチャフシーブ４２真下側に配置された選別網４４と、左右のサイドフレーム３６，３６間において選別網４４の後端側から前方斜め下方に延出された一番物ガイド４６と、左右のサイドフレーム３６，３６間の後端側から前方斜め下方に向って延出された二番物ガイド４７とを備えている。
【００２６】
また、左右のサイドフレーム３６，３６の間には、一又は複数（図示する例では２つ）の選別ユニットが着脱自在に取付けられる。具体的には、左右のサイドフレーム３６，３６側には、選別ユニット４８Ａ，４８Ｂ，４８Ｃ，４８Ｄを取付ける複数の取付部４９，５１，５２がそれぞれ形成されている。これを言換えると、左右のサイドフレーム３６，３６は、上記取付部４９，５１，５２によって、種類の異なる複数の選別ユニット４８Ａ，４８Ｂ，４８Ｃ，４８Ｄを、組替えて取付けることができるように構成されている。
【００２７】
取付部について説明すると、チャフシーブ４２の後端部に設けられた後述の固定板（枠体）４９と、各サイドフレーム３６における固定板４９の真後ろ側に位置する前後一対の取付孔（後側取付孔）５１と、各サイドフレーム３６における固定板４９の真下側に位置する前後一対の取付孔（下側取付孔）５２とが、それぞれ取付部を構成している。
【００２８】
一方、図示する例では、この揺動選別体２９に装着される選別ユニットとして、固定板４９に着脱自在に取付けられる第２選別ユニット４８Ｂと、後側取付孔５１，５１に着脱自在にボルト固定される第１選別ユニット４８Ａと、固定板４９に着脱自在に取付固定される第３選別ユニット４８Ｃと、下側取付孔５２に着脱自在にボルト固定される第４選別ユニット４８Ｄの４種類が用意されている。
【００２９】
すなわち、選別ユニット４８Ａ，４８Ｂ，４８Ｃ，４８Ｄは、着脱自在に、揺動選別体２９に取付けられるが、同一の固定板４９に異なる種類の選別ユニット４８Ｂ，４８Ｃを択一的に取付けることも可能である。なお、選別ユニット４８Ａ，４８Ｂ，４８Ｃ，４８Ｄの構成については後述する。
【００３０】
まず、選別ユニット４８Ａ，４８Ｂ，４８Ｃ，４８Ｄ以外の構成を説明する。
前記グレンパン４１は、側面視で後方側が切立った山と谷に相互に連続する波状に形成されている。前記選別風が起風され且つ揺動選別体２９が前後動している最中、このグレンパン４１は、扱室１９から受網２３を介して落下してくる処理物を受止めるとともに、この処理物を前後揺動作用によって後方に流動させる。この後方への流動過程で、処理物が比重差により、上下に層分けされ、比重の重い下層側の処理物は、下方に落下する一方で、比重が軽い上層側の処理物は、チャフシーブ４２に引継がれる。
【００３１】
前記チャフシーブ４２は、左右方向に延びる板状のフィン４２ａを前後に複数並列配置することにより構成されている。フィン４２ａは、前後揺動可能な可動フィン４２ａで形成され、最後端に位置する可動フィンの後方に前記固定板４９が配置されている。
【００３２】
固定板４９は、側面視で、前方斜め下方に傾斜した状態で、サイドフレーム３６，３６側に固着され、これによって、固定板４９は、サイドフレーム３６と共に揺動選別体２９の枠体の一部を構成している。
【００３３】
前後に並べられた複数の可動フィン４２ａは、その上端側が、サイドフレーム３６，３６間に軸回りに回動可能に架設された左右方向の支持軸４２ｂに取付固定され、これによって、各フィン４２ａは、自身の上端側の支持軸４２ｂと一体で、前後揺動自在にサイドフレーム３６，３６間に取付支持されている。そして、この可動フィン４２ａの前後揺動によって、前後に隣接するフィン４２ａ，４２ａ間の開度が変更され、これによってチャフシーブ４２の開度が調整される。
【００３４】
この複数の可動フィン４２ａは、複数のフィン群５３Ａ，５３Ｂ，５３Ｃ，５３Ｄにグループ分けされ、各フィン群５３Ａ，５３Ｂ，５３Ｃ，５３Ｄは、隣接する複数（図示する例では４又は５つ）のフィン４２ａによって構成されている。具体的には、最前端側のフィン４２ａのグループと、最後端側のフィン４２ａのグループと、この２つのフィン４２ａのグループに挟まれた前後２つのフィン４２ａグループとによって、４つのフィン群５３Ａ，５３Ｂ，５３Ｃ，５３Ｄが構成されている。
【００３５】
各フィン群５３Ａ，５３Ｂ，５３Ｃ，５３Ｄには、自身を構成するフィン４２ａ同士を全て連結する前後方向の連結板４２ｃと、自身を構成するフィン４２ａの前後揺動操作を行う開閉アーム５４とが設けられている。
【００３６】
連結板４２ｃは、複数のフィン４２ａの下端部同士を前後回動自在に連結して、該連結されたフィン４２ａ同士の前後揺動姿勢を同一に保持し、この連結板４２ｃがフィン群５３Ａ，５３Ｂ，５３Ｃ，５３Ｄ毎に設けられているため、フィン４２ａの前後揺動姿勢がフィン群５３Ａ，５３Ｂ，５３Ｃ，５３Ｄ単位で制御される。
【００３７】
開閉アーム５４は、その上端部が、フィン群５３Ａ，５３Ｂ，５３Ｃ，５３Ｄを構成する一のフィン４２ａの支持軸４２ｂに固定されている。このため、該開閉アーム５４は、支持軸４２ｂから下方に延出された状態で、支持軸４２ｂ（フィン４２ａ）と一体で、前後揺動作動し、この前後揺動によって、フィン群５３Ａ，５３Ｂ，５３Ｃ，５３Ｄを構成するフィン４２ａがまとめて前後揺動操作される。
【００３８】
この開閉アーム５４の下端部には、遊転自在に当接ローラ５６が設けられ、この当接ローラ５６の下方側には、この複数の開閉アーム５４の各当接ローラ５６に接当する単一の前後方向に延びるカムプレート５７と、このカムプレート５７を前後移動させるギヤ機構５８と、ギヤ機構５８を介してカムプレート５７を前後移動駆動させるモータ（アクチュエータ）５９と、カムプレート５７の前後位置を検出する位置検出手段であるポテンショメータ６１とが設けられている。
【００３９】
カムプレート５７の前後位置によって、各接当ローラ５６のカムプレート５７との当接箇所が変更され、この当接箇所の変更によって、開閉アーム５４が前後に揺動し、各フィン群５３Ａ，５３Ｂ，５３Ｃ，５３Ｄを形成するフィンの姿勢が変化し、チャフシーブ４２の開度が最適に制御される。
【００４０】
カムプレート５７の上端面には、前後に配置された複数の開閉アーム５４の当接ローラ５６が接当するカム部５７ａ，５７ｂ，５７ｃ，５７ｄが、前後に複数配置形成されている。具体的には、最も前側のフィン群である第１フィン群用の開閉アーム５４の当接ローラ５６に接当するカム部（第１カム部）５７ａと、前から２番目のフィン群である第２フィン群用の開閉アーム５４の当接ローラ５６に接当するカム部（第２カム部）５７ｂと、前から３番目のフィン群である第３フィン群用の開閉アーム５４の当接ローラ５６に接当するカム部（第３カム部）５７ｃと、最も後前のフィン群である第４フィン群用の開閉アーム５４の当接ローラ５６に接当するカム部（第４カム部）５７ｄとが、この順序で前側から順次配置形成されている。
【００４１】
すなわち、この各カム部５７ａ，５７ｂ，５７ｃ，５７ｄの形状によって、各フィン群５３Ａ，５３Ｂ，５３Ｃ，５３Ｄの開度が調整されており、各カム部５７ａ，５７ｂ，５７ｃ，５７ｄは、水平な下段面及び上段面と、下段面と上段面を連接するように後方に向って上方傾斜した傾斜面とから構成される。
【００４２】
そして、カム部の下段面に当接ローラ５６が前後回転自在に当接している場合は、可動フィン４２ａが最下方位置に揺動され、可動フィン４２ａ間の開度が最大になり、カム部の上段面に当接ローラ５６が前後回転自在に当接している場合は、可動フィン４２ａが最上方位置に揺動され、可動フィン４２ａ間の開度が最小になり、カム部の傾斜面に当接ローラ５６が前後回転自在に当接している場合は、可動フィン４２ａがカムプレート５７の前後動によって前後揺動作動して、可動フィン４２ａ間の開度が増減する状態になる。
【００４３】
このため、各カム部５７ａ，５７ｂ，５７ｃ，５７ｄにおいて、上段面、下段面及び傾斜面の位置及び傾斜面の傾斜度合を予め設定することにより、カムプレート５７の各前後位置に対して、チャフシーブ４２の最適な開度を得ることが可能になる。ちなみに、各開閉アーム５４は、弾性部材としてねじりコイルばね５５を設けることにより、対応するカム部側に常時付勢され、両者の接当状態は常時良好に保持される。
【００４４】
以上のような、複数の可動フィン４２ａの前後動によってチャフシーブ４２の開度を容易に変更できるとともに、このチャフシーブ４２の開度変更によって、上記選別風が揺動選別体２９の上方側へ吹き抜ける風量と、処理物の漏下量が調整される。具体的には、連結板４２ｃを前方揺動操作することにより、チャフシーブ４２の開度が狭まって処理物が下方に落下し難くなり、連結板４２ｃを後方揺動操作することにより、チャフシーブ４２の開度が広くなって処理物を落下し易くすることができる。
【００４５】
そして、選別風が起風され且つ揺動選別体２９が前後動している最中、グレンパン４１から引継がれたチャフシーブ４２上の処理物は、揺動作用及び選別風の風選作用によって、落下するものと、詳しくは後述する選別ユニット４８Ｃで形成されたストローラックに引継がれるものとに分けられる。
【００４６】
続いて、選別ユニット４８Ａ，４８Ｂ，４８Ｃ，４８Ｄの構成を説明する。
前記第１選別ユニット４８Ａは、図３及び図４に示すように、２つの固定フィン６２，７１と、前後に並列配置された複数の可動フィン６３と、左右に並列配置された複数のストローラック６４とをユニット化することによって、構成されている。
【００４７】
具体的には、左右のサイドフレーム３６，３６の後側取付孔５１にそれぞれ固定されて前後方向に延びる左右一対の連結体６６，６６と、前記複数の可動フィン６３を該左右の連結体６６，６６の間に揺動可能に支持する可動フィン６３と同数の支持軸６７とを設け、該支持軸６７は上述の支持軸４２ｂと略同一に構成されている。また、可動フィン６３の前方側には、１つの固定フィン６２が斜めに傾けた状態でボルト固定されている。
【００４８】
この複数の可動フィン６３はフィン群５３Ｅを構成しており、このフィン群５３Ｅには、上述の連結板４２ｃと略同一構成に構成されて可動フィン６３同士を連結する前後方向の連結板６８と共に、上述の開閉アーム５４と略同一に構成され且つ可動フィン６３の前後揺動操作を行う当接ローラ５６付きの開閉アーム５４とが取付けられている。
【００４９】
第１選別ユニットの当接ローラ５６は、サイドフレーム３６のカムプレート５７側面において、前後方向に延びる板状の延長カムプレート（連動機構）６９に上側から当接している。該延長カムプレート６９は、前端側に前後方向に複数（図示する例では３つ）の連結孔７０が穿設され、前記カムプレート５７の後端側とボルトで着脱自在に連結固定されることにより、カムプレート５７と一体的に前後動するように構成されている。
【００５０】
また、延長カムプレート６９の後部上端には、カムプレート５７と同様の形状のカム部６９ａが形成されている。なお、カムプレート５７と延長カムプレート６９とは、ピン固定により連結しても良く、この場合には、連結に使用した連結孔７０に緩衝材を設けることにより、連結箇所の磨耗、騒音等を軽減できる。
【００５１】
これにより、延長カムプレート６９の前後位置により、開閉アーム５４の当接ローラ５６と、カム部６９ａの当接箇所が変更され、この当接箇所の変更によって、開閉アーム５４が前後に揺動し、フィン群５３Ｅを構成する可動フィン６３の開度が制御される。なお、延長カムプレート６９においては、何れの連結孔７０によりカムプレート５７と連結するか選択することによっても、当接ローラ５６とカム部６９ａの当接箇所を変更し、フィン群５３Ｅが回動するタイミングを調整できる。
【００５２】
また、第１選別ユニット４８Ａは、連結体６６のフィン群５３Ｅの後方側に斜めに傾いた取付板７２が固定されており、該取付板７２にストローラック６４が取付けられるように構成されている。具体的には、前後方向に延びて左右に並ぶ複数の各ラック板６４ａの前端側を、左右方向に長い固定フィン７１に溶着等により固着することにより、ストローラック６４が形成されており、該ストローラック６４は、第１選別ユニット４８Ａの取付板７２から後方下側へ向けて突設されて外周にネジが形成された取付ピン（Ｐボタン）５０を、取付板７２と固定フィン７１とに穿設した挿通孔に挿通させ、ナットで締付固定することで取付けられている。
【００５３】
上記構成の第１選別ユニット４８Ａは、前記連結体６６を、サイドフレーム３６側の後側取付孔５１にボルト固定等することによって、サイドフレーム３６側に着脱自在に取付けることができる。
【００５４】
前記第２選別ユニット４８Ｂは、図３に示すように、サイドフレーム３６に設けた前記固定板４９に固定される左右に延びる前フィン７３ａと、該前フィン７３ａの後側に筒状のスペーサ７４を介してボルト固定される後フィン７３ｂとから構成されている。上記構成の第２選別ユニット４８Ｂは、上述の取付ピン５０を用いて、前フィン７３ａを固定板４９に取付けることにより、サイドフレーム３６側に着脱自在に取付けられている。
【００５５】
以上、図３及び図４に示す揺動選別体によれば、ストローラック６４と比較して処理物が落下し難いチャフシーブ４２をより第１ガイド４６よりも後方側まで延長することができるため、二番ラセン３４に落下して還元搬送される処理物の量を少なくすることができる。言い換えると、なるべく一度目の選別作業で一番物を選別するとともに、二番ラセン３４で還元搬送される処理物の量を減らし、多少穀粒が残っていても機外へ排出するように構成されるため、大豆等の比較的粒の大きい処理物を選別する場合に、還元搬送して再び脱穀部１７及び選別部１８を経由すると、穀粒が汚れ易くなるという問題を回避できる。また、二番物が多く、還元経路が詰り易い処理物であっても、二番ラセン３４等を詰らせることなくスムーズに選別できる。
【００５６】
なお、前記取付板７２には、ストローラック６４に代えて、複数のフィンからなる延長用のチャフシーブ（図示しない）を取付けた構成としても良い。これによれば、チャフシーブ４２が揺動選別体２９の後端側まで延長される構成となる。
【００５７】
前記第３選別ユニット４８Ｃは、図５に示すように、前後方向に延びて左右に並ぶ複数の各ラック板７６の前端側を、左右方向に長い固定フィン７７に溶着等により固着することによりユニット化されたストローラックである。上記構成の第３選別ユニット４８Ｃは、上述の取付ピン５０を用いて、固定フィン７７を前記固定板４９に取付けることにより、サイドフレーム３６側に着脱自在に取付けられている。
【００５８】
前記第４選別ユニット４８Ｄは、図５に示すように、補助チャフ部７８と、補助ラック部７９とが一体的にユニット化された構成となっている。具体的に、補助チャフ部７８は、左右方向に延びて前後に並ぶ複数の補助フィン７８ａと、該補助フィン７８ａの左右端を固着することで複数の補助フィン７８ａを連結する前後方向に長い一対の連結体７８ｂにより形成されている。補助ラック部７９は、後端に配置された補助フィン７８ａである固定フィン８１に、前記ラック板７６より長く形成されて左右に複数並べた補助ラック板７９ａの前端を固着することにより形成されている。
【００５９】
上記構成の第４選別ユニットは、前記連結板７８ｂを、サイドフレーム３６側の前記下側取付孔５２にボルト固定等することによって、サイドフレーム３６側に着脱自在に取付けることができる。
【００６０】
以上、図５に示す揺動選別体によれば、チャフシーブ４２から落下した処理物を一番ラセン３３で回収することができるとともに、チャフシーブ４２で落下しなかった処理物は、フィン４２ａと比較してより処理物を落下させ易い、第３選別ユニット４８Ｃのラック板７６や、第４選別ユニット４８Ｄの補助ラック板７９等を介して、桔梗等の付いた処理物を積極的に二番ラセン３４で回収して還元搬送させることができるため、主に稲や麦等の選別に適している。
【００６１】
次に、図６に基づき、第１選別ユニットの他例について上述した例と異なる点を説明する。
【００６２】
図６は、第１選別ユニットの他例の構成を示す揺動選別体の要部側面図である。第１選別ユニット４８Ｅは、左右方向に延びて前後に並ぶ複数の延長フィン８１ａと、前後方向に長い一対の連結体８１ｂとを備え、一対の連結体８１ｂの間に配置された延長フィン８１ａの両端を連結体８１ｂ側に溶着等で固着することにより、ユニット化している。
【００６３】
すなわち、第１選別ユニット４８Ｅは、延長フィン８１ａの開度調整ができない構成としても良い。該構成によれば、第１選別ユニットの強度が向上するとともに、部品点数が削減されて低コスト化することができる。
【符号の説明】
【００６４】
２２    扱胴
２９    揺動選別体
３６    サイドフレーム（枠体）
４２    チャフシーブ
４２ａ  フィン
４８Ａ  第１選別ユニット（選別ユニット、延長フィンユニット）
４８Ｂ  第２選別ユニット（選別ユニット、延長フィンユニット）
４８Ｃ  第３選別ユニット（選別ユニット）
４８Ｄ  第４選別ユニット（選別ユニット）
４８Ｅ  第１選別ユニット（選別ユニット）
６９    延長カムプレート（連動機構）
７６    ラック板
７７    固定フィン（取付部材）
【図１】
2014014306.tif 000003
【図２】
2014014306.tif 000004
【図３】
2014014306.tif 000005
【図４】
2014014306.tif 000006
【図５】
2014014306.tif 000007
【図６】
2014014306.tif 000008